(57)【要約】【課題】反射像における濃淡差が相対的に小さい被測定物に対するフォーカス合わせをより容易に行なうことのできる光学特性測定装置およびフォーカス調整方法を提供する。【解決手段】観察用光源が発生する観察光のビーム断面の光強度（光量）は、略均一である。マスク部２６ａがこの観察光の一部をマスクすることで、そのビーム断面においてレチクル像に相当する領域の光強度が略ゼロにされる。このレチクル像に相当する影領域が形成された観察光は、ビームスプリッタ２０で反射されて被測定物ＯＢＪへ照射される。この被測定物ＯＢＪに投射されたレチクル像に対応する反射像の濃淡差（コントラスト）に基づいて、被測定物ＯＢＪに対する測定光のフォーカス状態を判断する。【選択図】図２
2008286584.tif 000002
【特許請求の範囲】
【請求項１】
被測定物に対する測定範囲の波長を含む測定光を発生する測定用光源と、
前記被測定物で反射可能な波長を含む観察光を発生する観察用光源と、
前記測定光および前記観察光が入射され、入射された光を集光する集光光学系と、
前記集光光学系と前記被測定物との間の位置関係を変更可能な調整機構と、
前記測定用光源から前記集光光学系までの光学経路上の所定位置において前記観察光を注入する光注入部と、
前記観察用光源から前記光注入部までの光学経路上の所定位置において、観察基準像が投射されるように前記観察光の一部をマスクするマスク部と、
前記被測定物で生じる反射光のうち、測定反射光と観察反射光とを分離する光分離部と、
前記観察反射光に含まれる前記観察基準像に対応する反射像に基づいて、前記被測定物における前記測定光のフォーカス状態を判断するフォーカス状態判断部と、
前記フォーカス状態の判断結果に応じて前記調整機構を制御する位置制御部とを備える、光学特性測定装置。
【請求項２】
前記観察反射光を受光して、当該観察反射光に応じた映像信号を出力する撮像部をさらに備え、
前記フォーカス状態判断部は、前記撮像部からの前記映像信号に基づいて、前記フォーカス状態を示す値を出力する、請求項１に記載の光学特性測定装置。
【請求項３】
前記フォーカス状態判断部は、前記観察反射光に応じた映像信号のうち予め設定された領域に相当する信号成分に基づいて、前記フォーカス状態を示す値を出力する、請求項２に記載の光学特性測定装置。
【請求項４】
前記調整機構は、前記測定光の光軸に沿って前記被測定物を移動可能に構成され、
前記位置制御部は、前記フォーカス状態を示す値が最大となるように、前記光軸に沿って前記集光光学系と前記被測定物との間の距離を調整する、請求項２または３に記載の光学特性測定装置。
【請求項５】
前記調整機構は、さらに前記光軸と直交する平面に沿って前記被測定物を移動可能に構成され、
前記位置制御部は、前記フォーカス状態を示す値が最大となる場合における前記被測定物の前記光軸方向の位置に相当するフォーカス位置を前記平面上の複数の座標について取得し、取得した複数の前記フォーカス位置に基づいて、前記被測定物の空間的な変曲点を探索する、請求項２〜４のいずれか１項に記載の光学特性測定装置。
【請求項６】
前記位置制御部は、前記平面上の第１の方向に沿った複数の座標について前記フォーカス位置を取得するとともに、前記平面上の前記第１の方向と直交する第２の方向に沿った複数の座標について前記フォーカス位置を取得し、さらに前記第１および第２の方向のそれぞれにおいて前記フォーカス位置が最大値または最小値となる座標に基づいて、前記被測定物の空間的な変曲点を決定する、請求項５に記載の光学特性測定装置。
【請求項７】
前記位置制御部は、前記空間的な変曲点に前記測定光および前記観察光が照射されるように前記被測定物を前記平面に沿って移動させた後、前記フォーカス状態を示す値が最大となるように、前記光軸に沿って前記集光光学系と前記被測定物との間の距離をさらに調整する、請求項５または６に記載の光学特性測定装置。
【請求項８】
前記撮像部は、行列状に配置された複数の画素の各々に対応する前記観察反射光の輝度データを前記映像信号として出力し、
前記フォーカス状態判断部は、各画素に対応する輝度データのヒストグラムに基づいて、前記フォーカス状態を示す値を出力する、請求項２〜７のいずれか１項に記載の光学特性測定装置。
【請求項９】
光学特性測定装置におけるフォーカス調整方法であって、
前記光学特性測定装置は、
被測定物に対する測定範囲の波長を含む測定光を発生する測定用光源と、
前記被測定物で反射可能な波長を含む観察光を発生する観察用光源と、
前記測定光および前記観察光が入射され、入射された光を集光する集光光学系と、
前記集光光学系と前記被測定物との間の位置関係を変更可能な調整機構と、
前記測定用光源から前記集光光学系までの光学経路上の所定位置において前記観察光を注入する光注入部と、
前記観察用光源から前記光注入部までの光学経路上の所定位置において、観察基準像が投射されるように前記観察光の一部をマスクするマスク部と、
前記被測定物で生じる反射光のうち、測定反射光と観察反射光とを分離する光分離部とを備え、
前記フォーカス調整方法は、
前記観察用光源から前記観察光の発生を開始するステップと、
前記観察反射光に含まれる前記観察基準像に対応する反射像に基づいて、前記被測定物における前記測定光のフォーカス状態を判断するステップと、
前記フォーカス状態の判断結果に応じて前記調整機構を制御するステップとを備える、フォーカス調整方法。
【請求項１０】
前記光学特性測定装置は、前記観察反射光を受光して、当該観察反射光に応じた映像信号を出力する撮像部をさらに備え、
前記調整機構は、前記測定光の光軸に沿って前記被測定物を移動可能に構成され、
前記フォーカス状態を判断するステップは、前記撮像部からの前記映像信号に基づいて、前記フォーカス状態を示す値を出力するステップを含み、
前記調整機構を制御するステップは、前記フォーカス状態を示す値が最大となるように、前記光軸に沿って前記集光光学系と前記被測定物との間の距離を調整するステップを含む、請求項９に記載のフォーカス調整方法。
【発明の詳細な説明】
【技術分野】
【０００１】
この発明は、光学特性測定装置およびそれにおけるフォーカス調整方法に関し、より特定的にはその反射像における濃淡差が相対的に小さな被測定物に対する光学特性測定に際してフォーカス合わせを容易に行なう技術に関する。
【背景技術】
【０００２】
基板上などに形成された薄膜に対して光を照射しその反射光を分光計測することにより、当該薄膜の反射率や屈折率、消衰係数、膜厚などの光学特性（光学定数）を測定するための代表的な光学特性測定装置として顕微分光装置が知られている。
【０００３】
一般的な顕微分光装置は、たとえば特開平１１−２３０８２９号公報（特許文献１）の図１に開示されるような構成となっている。この顕微分光装置は、光源から出射された照明光をハーフミラーを介してテーブル上に載置された測定試料に導く照明光学系と、測定試料において反射された光を回折格子およびモニター用光学系に導く結像光学系とを備える。そして、回折格子は、測定試料上の測定領域からの観察光を分光する分光手段として機能し、分光スペクトルをラインセンサ上に結像する。そして、ラインセンサで測定される分光スペクトルによって光学特性が算出される。一方、モニター用光学系は、測定試料の拡大像をリレーレンズにより２次元のＣＣＤカメラ上に結像する。そして、ＣＣＤカメラにより撮像された測定試料の拡大像は測定位置の確認やフォーカス合わせに使用される。
【０００４】
さらに、特開２００６−３０１２７０号公報（特許文献２）や特開２０００−１３７１５８号公報（特許文献３）には、モニター用光学系によって取得された拡大像に基づいてオートフォーカスを行なう技術が開示されている。
【特許文献１】特開平１１−２３０８２９号公報
【特許文献２】特開２００６−３０１２７０号公報
【特許文献３】特開２０００−１３７１５８号公報
【発明の開示】
【発明が解決しようとする課題】
【０００５】
上述した特開２００６−３０１２７０号公報（特許文献２）には、映像信号の輝度レベルの周波数スペクトラムに基づいてフォーカス値を算出する構成が開示されており、特開２０００−１３７１５８号公報（特許文献３）には、フォーカスエリア内のエッジ強度値に基づいてフォーカス値（フォーカス度）を算出する構成が開示されている。
【０００６】
これらの構成は、被測定物を撮影して得られる像（もしくは、その映像信号）に濃淡差（コントラスト）が存在する場合に適用できるものであり、被測定物自体の濃淡差が少ない場合には、適用することが困難となる。たとえば、ガラス基板やレンズといった透明な物質を被測定物とする場合には、反射率が低いので反射光が弱くなり、その反射像が全体的に暗くなって濃淡差は小さくなる。一方、その表面に何らの模様（パターン）も形成されていない鏡面状の試料を被測定物とする場合には、反射率が高いので入射光のほぼすべてが反射してしまい、このときにも反射像の濃淡差は小さくなる。そのため、従来の方法では、合焦状態と非合焦状態との間のフォーカス値の変化が小さく、十分なフォーカス精度を得ることができなかった。
【０００７】
この発明は、このような問題点を解決するためになされたものであって、その目的は、反射像における濃淡差が相対的に小さい被測定物に対するフォーカス合わせをより容易に行なうことのできる光学特性測定装置およびフォーカス調整方法を提供することである。
【課題を解決するための手段】
【０００８】
この発明のある局面に従う光学特性測定装置は、被測定物に対する測定範囲の波長を含む測定光を発生する測定用光源と、被測定物で反射可能な波長を含む観察光を発生する観察用光源と、測定光および観察光が入射され、入射された光を集光する集光光学系と、集光光学系と被測定物との間の位置関係を変更可能な調整機構と、測定用光源から集光光学系までの光学経路上の所定位置において観察光を注入する光注入部と、観察用光源から光注入部までの光学経路上の所定位置において、観察基準像が投射されるように観察光の一部をマスクするマスク部と、被測定物で生じる反射光のうち、測定反射光と観察反射光とを分離する光分離部と、観察反射光に含まれる観察基準像に対応する反射像に基づいて、被測定物における測定光のフォーカス状態を判断するフォーカス状態判断部と、フォーカス状態の判断結果に応じて調整機構を制御する位置制御部とを備える。
【０００９】
この発明によれば、その一部がマスクされた観察光が被測定物に照射されることで、被測定物には観察基準像が投射される。この観察光は、被測定物で反射して観察反射光を生じ、この観察反射光には観察基準像に対応する反射像が含まれる。この観察基準像に対応する反射像には観察基準像によって濃淡差（コントラスト差）が生じるので、被測定物の反射率にかかわらず、被測定物における観察光のフォーカス状態を正確に判断することができる。
【００１０】
一方、測定光および観察光は、共通の集光光学系を介して被測定物に照射されるので、被測定物における観察光のフォーカス状態と、被測定物における測定光のフォーカス状態とを実質的に同一とみなすことができる。
【００１１】
したがって、その反射像における濃淡差が相対的に小さな被測定物であっても、観察基準像に対応する反射像を含む観察反射光に基づいて、容易にフォーカス合わせを行なうことができる。
【００１２】
好ましくは、光学特性測定装置は、観察反射光を受光して、当該観察反射光に応じた映像信号を出力する撮像部をさらに備え、フォーカス状態判断部は、撮像部からの映像信号に基づいて、フォーカス状態を示す値を出力する。
【００１３】
さらに好ましくは、フォーカス状態判断部は、観察反射光に応じた映像信号のうち予め設定された領域に相当する信号成分に基づいて、フォーカス状態を示す値を出力する。
【００１４】
好ましくは、調整機構は、測定光の光軸に沿って被測定物を移動可能に構成され、位置制御部は、フォーカス状態を示す値が最大となるように、光軸に沿って集光光学系と被測定物との間の距離を調整する。
【００１５】
好ましくは、調整機構は、さらに光軸と直交する平面に沿って被測定物を移動可能に構成され、位置制御部は、フォーカス状態を示す値が最大となる場合における被測定物の光軸方向の位置に相当するフォーカス位置を平面上の複数の座標について取得し、取得した複数のフォーカス位置に基づいて、被測定物の空間的な変曲点を探索する。
【００１６】
さらに好ましくは、位置制御部は、平面上の第１の方向に沿った複数の座標についてフォーカス位置を取得するとともに、平面上の第１の方向と直交する第２の方向に沿った複数の座標についてフォーカス位置を取得し、さらに第１および第２の方向のそれぞれにおいてフォーカス位置が最大値または最小値となる座標に基づいて、被測定物の空間的な変曲点を決定する。
【００１７】
さらに好ましくは、位置制御部は、空間的な変曲点に測定光および観察光が照射されるように被測定物を平面に沿って移動させた後、フォーカス状態を示す値が最大となるように、光軸に沿って集光光学系と被測定物との間の距離をさらに調整する。
【００１８】
好ましくは、撮像部は、行列状に配置された複数の画素の各々に対応する観察反射光の輝度データを映像信号として出力し、フォーカス状態判断部は、各画素に対応する輝度データのヒストグラムに基づいて、フォーカス状態を示す値を出力する。
【００１９】
この発明の別の局面に従えば、光学特性測定装置におけるフォーカス調整方法であって、光学特性測定装置は、被測定物に対する測定範囲の波長を含む測定光を発生する測定用光源と、被測定物で反射可能な波長を含む観察光を発生する観察用光源と、測定光および観察光が入射され、入射された光を集光する集光光学系と、集光光学系と被測定物との間の位置関係を変更可能な調整機構と、測定用光源から集光光学系までの光学経路上の所定位置において観察光を注入する光注入部と、観察用光源から光注入部までの光学経路上の所定位置において、観察基準像が投射されるように観察光の一部をマスクするマスク部と、被測定物で生じる反射光のうち、測定反射光と観察反射光とを分離する光分離部とを備える。フォーカス調整方法は、観察用光源から観察光の発生を開始するステップと、観察反射光に含まれる観察基準像に対応する反射像に基づいて、被測定物における測定光のフォーカス状態を判断するステップと、フォーカス状態の判断結果に応じて調整機構を制御するステップとを備える。
【００２０】
好ましくは、光学特性測定装置は、観察反射光を受光して、当該観察反射光に応じた映像信号を出力する撮像部をさらに備え、調整機構は、測定光の光軸に沿って被測定物を移動可能に構成され、フォーカス状態を判断するステップは、撮像部からの映像信号に基づいて、フォーカス状態を示す値を出力するステップを含み、調整機構を制御するステップは、フォーカス状態を示す値が最大となるように、光軸に沿って集光光学系と被測定物との間の距離を調整するステップを含む。
【発明の効果】
【００２１】
この発明によれば、反射像における濃淡差が相対的に小さい被測定物に対するフォーカス合わせをより容易に行なうことのできる光学特性測定装置およびフォーカス調整方法を実現できる。
【発明を実施するための最良の形態】
【００２２】
この発明の実施の形態について、図面を参照しながら詳細に説明する。なお、図中の同一または相当部分については、同一符号を付してその説明は繰返さない。
【００２３】
［実施の形態１］
（全体構成）
図１は、この発明の実施の形態１に従う光学特性測定装置１００Ａの概略構成図である。
【００２４】
この発明の実施の形態１に従う光学特性測定装置１００Ａは、代表的に、顕微分光式の測定装置であって、被測定物からの反射光のスペクトルを測定することで、被測定物に形成された薄膜などについての（絶対および相対）反射率や屈折率、消衰係数、膜厚などの光学特性（光学定数）を測定する。
【００２５】
なお、被測定物の代表例としては、半導体基板、ガラス基板、サファイア基板、石英基板、フィルムなどの表面に薄膜が形成（コーティング）されたものである。より具体的には、薄膜形成されたガラス基板は、液晶ディスプレイ（ＬＣＤ：Liquid Crystal Display）やプラズマディスプレイ（ＰＤＰ：Plasma Display Panel）などのフラットパネルディスプレイ（ＦＰＤ：Flat Panel Display）のディスプレイ部として使用されている。また、薄膜形成されたサファイア基板は、窒化物半導体（ＧａＮ：Gallium Nitride）系のＬＥＤ（Light Emitting Diode）やＬＤ（Laser Diode）として使用されている。また、薄膜形成された石英基板は、各種の光学フィルタや光学部品およびプロジェクション液晶などに使用されている。
【００２６】
特に、本実施の形態に従う光学特性測定装置１００Ａは、ガラス基板などの透明で反射率が相対的に低い被測定物の光学特性を測定する際に、フォーカス合わせに用いられる観察光の一部をマスクすることによって被測定物に観察基準像を投射し、この観察基準像に対応する反射像に基づいて被測定物に対するフォーカス合わせを行なうものである。また、本実施の形態に従う光学特性測定装置１００Ａは、フォーカス合わせに用いられる観察光の一部をマスクすることによって、その表面に何らの模様（パターン）も形成されていない鏡面状の被測定物に対するフォーカス合わせを行なうこともできる。
【００２７】
図１を参照して、光学特性測定装置１００Ａは、制御装置２と、測定用光源１０と、コリメートレンズ１２と、カットフィルタ１４と、結像レンズ１６，３６と、絞り部１８と、ビームスプリッタ２０，３０と、観察用光源２２と、光ファイバ２４と、出射部２６と、ピンホールミラー３２と、軸変換ミラー３４と、観察用カメラ３８と、表示部３９と、対物レンズ４０と、ステージ５０と、可動機構５２と、分光測定部６０と、データ処理部７０とを備える。
【００２８】
測定用光源１０は、被測定物の光学特性の測定に用いられる測定光を生成する光源であり、代表的に重水素ランプ（Ｄ２ランプ）やタングステンランプ、またはそれらの組合せからなる。そして、測定用光源１０が発生する測定光は、被測定物に対する光学特性の測定範囲（一例として、ガラス基板上に形成された薄膜では２５０ｎｍ〜７５０ｎｍ）の波長を含む。なお、本実施の形態に従う光学特性測定装置１００Ａでは、測定光をフォーカス合わせに使用しないので、測定光の波長帯域を任意に設定可能であり、赤外帯域や紫外帯域といった可視帯域以外の波長のみを含む測定光を用いてもよい。
【００２９】
コリメートレンズ１２と、カットフィルタ１４と、結像レンズ１６と、絞り部１８とは、測定用光源１０とビームスプリッタ３０とを結ぶ光軸ＡＸ２上に配置され、測定用光源１０から出射される測定光を光学的に調整する。
【００３０】
コリメートレンズ１２は、測定用光源１０からの測定光が最初に入射する光学部品であり、拡散光線として伝播する測定光を屈折させて平行光線に変換する。コリメートレンズ１２を通過した測定光はカットフィルタ１４に入射する。
【００３１】
カットフィルタ１４は、測定光に含まれる波長を光学特性の測定に必要な波長範囲に制限するための光学フィルタである。すなわち、測定光に含まれる測定範囲以外の波長成分は測定誤差要因となるため、カットフィルタ１４が測定光を必要な波長範囲に制限する。代表的に、カットフィルタ１４は、ガラス基板などに蒸着された多層膜によって形成される。
【００３２】
結像レンズ１６は、測定光のビーム径を調整するために、カットフィルタ１４を通過した測定光を平行光線から収束光線に変換する。結像レンズ１６を通過した測定光は絞り部１８に入射する。
【００３３】
絞り部１８は、測定光の光量を所定量に調整した上でビームスプリッタ３０へ出射する。好ましくは、絞り部１８は、結像レンズ１６によって変換された測定光の結像位置に配置される。なお、絞り部１８の絞り量は、被測定物に入射する測定光の被写界深度や必要な光強度などに応じて適宜設定される。
【００３４】
一方、観察用光源２２は、被測定物へのフォーカス合わせや測定位置の確認に使用される観察光を生成する光源であって、制御装置２からの指令に応じて観察光の生成を開始または停止する。そして、観察用光源２２が発生する観察光は、被測定物で反射可能な波長を含むように選択される。なお、本実施の形態に従う光学特性測定装置１００Ａでは、観察光は光学特性の測定に使用されないので、必要な波長帯域および光量をもつ任意の光源を採用することができる。観察用光源２２は、光ファイバ２４を介して出射部２６と接続されており、観察用光源２２で生成された観察光は、光導波路である光ファイバ２４を伝播した後に出射部２６からビームスプリッタ２０へ向けて出射される。
【００３５】
出射部２６は、観察用光源２２からビームスプリッタ２０までの光学経路上の所定位置に配置されるとともに、所定の観察基準像が投射されるように観察光の一部をマスクするマスク部２６ａを含む。すなわち、観察用光源２２で生成された直後の観察光のビーム断面における光強度（光量）は略均一であるが、マスク部２６ａがこの観察光の一部をマスク（遮へい）することで、観察光にはそのビーム断面において光強度が略ゼロである領域（影領域）が形成される。この影領域が観察基準像として被測定物に投射される。以下では、このような観察基準像を「レチクル（reticle）像」とも称す。
【００３６】
このように、本実施の形態に従う光学特性測定装置１００Ａは、レチクル像を含む観察光を被測定物に照射することで、その表面に何らの模様（パターン）も形成されていない反射率の低い被測定物（代表的に、透明なガラス基板など）に対しても、当該投射されたレチクル像に基づいて、フォーカス合わせを容易に行なうことができる。また、照射された観察光のほぼすべてが反射されるような鏡面状の試料に対しても、レチクル像によって反射像には濃淡差が生じるので、フォーカス合わせを容易に行なうことができる。なお、レチクル像の形状はいずれであってもよいが、一例として同心円状や十字状のパターンなどを用いることが好ましい。
【００３７】
ステージ５０は、被測定物を配置するための可動自在な試料台であり、その配置面は平坦に形成される。このステージ５０は、一例として機械的に連結された可動機構５２によって、３方向（Ｘ方向・Ｙ方向・Ｚ方向）に自在に駆動される。なお、本明細書において「Ｚ方向」は光軸ＡＸ１に沿った方向を意味し、「Ｘ方向」および「Ｙ方向」は光軸ＡＸ１と直交する面上の独立した２つの方向を意味する。また、可動機構５２は、一例として３軸分のサーボモータと、各サーボモータを駆動するためのサーボドライバとを含んで構成される。そして、可動機構５２は、制御装置２からのステージ位置指令に応答してステージ５０を駆動する。このステージ５０の駆動によって、被測定物と後述する対物レンズ４０との間の位置関係が調整される。
【００３８】
対物レンズ４０と、ビームスプリッタ２０と、ビームスプリッタ３０と、ピンホールミラー３２とは、ステージ５０の平坦面に垂直な方向に延伸する光軸ＡＸ１上に配置される。
【００３９】
ビームスプリッタ３０は、測定用光源１０で生成される測定光を反射することで、その伝播方向を光軸ＡＸ１の紙面下向きに変換する。また、ビームスプリッタ３０は、光軸ＡＸ１を紙面上向きに伝播する被測定物からの反射光を透過させる。代表的に、ビームスプリッタ３０はハーフミラーで構成される。
【００４０】
一方、ビームスプリッタ２０は、観察用光源２２で生成される観察光を反射することで、その伝播方向を光軸ＡＸ１の紙面下向きに変換する。同時に、ビームスプリッタ２０は、光軸ＡＸ１を紙面下向きに伝播するビームスプリッタ３０で反射された測定光を透過させる。すなわち、ビームスプリッタ２０は、測定用光源１０から集光光学系である対物レンズ４０までの光学経路上の所定位置において観察光を注入する光注入部として機能する。このビームスプリッタ２０で合成された測定光と観察光とは、対物レンズ４０に入射する。また、ビームスプリッタ２０は、光軸ＡＸ１を紙面上向きに伝播する被測定物からの反射光を透過させる。代表的に、ビームスプリッタ２０はハーフミラーで構成される。
【００４１】
対物レンズ４０は、光軸ＡＸ１を紙面下向きに伝播する測定光および観察光を集光するための集光光学系である。すなわち、対物レンズ４０は、被測定物またはその近接した位置で結像するように測定光および観察光を収束させる。また、対物レンズ４０は、所定の倍率（たとえば、１０倍，２０倍，３０倍，４０倍など）を有する拡大レンズであり、被測定物の測定対象領域を対物レンズ４０に入射する光のビーム断面に比較してより微小化する。そのため、被測定物のより微小な領域についての光学特性を測定できる。
【００４２】
また、対物レンズ４０から被測定物に入射した測定光および観察光の一部は、被測定物で反射され、光軸ＡＸ１上を紙面上向きに伝播する。この反射光は、対物レンズ４０に透過した後、ビームスプリッタ２０および３０を透過してピンホールミラー３２まで到達する。
【００４３】
ピンホールミラー３２は、被測定物で生じる反射光のうち、測定反射光と観察反射光とを分離する光分離部として機能する。具体的には、ピンホールミラー３２は、光軸ＡＸ１を紙面上向きに伝播する被測定物からの反射光を反射する反射面を含み、その反射面と光軸ＡＸ１との交点を中心とする穴あき部（ピンホール）３２ａが形成されている。このピンホール３２ａの大きさは、測定用光源１０からの測定光が被測定物で反射されて生じる測定反射光の、ピンホールミラー３２の位置におけるビーム径に比較して小さくなるように形成される。また、このピンホール３２ａは、それぞれ測定光および観察光が被測定物で反射されて生じる測定反射光および観察反射光の結像位置と一致するように配置される。このような構成によって、被測定物で生じた反射光は、ピンホール３２ａを通過して分光測定部６０に入射する。一方、反射光の残部は、その伝播方向を変換されて軸変換ミラー３４へ入射する。
【００４４】
分光測定部６０は、ピンホールミラー３２を通過した測定反射光のスペクトルを測定し、その測定結果をデータ処理部７０へ出力する。より詳細には、分光測定部６０は、回折格子（グレーティング）６２と、検出部６４と、カットフィルタ６６と、シャッタ６８とを含む。
【００４５】
カットフィルタ６６と、シャッタ６８と、回折格子６２とは、光軸ＡＸ１上に配置される。カットフィルタ６６は、ピンホールを通過して分光測定部６０に入射する測定反射光に含まれる測定範囲外の波長成分を制限するための光学フィルタであり、特に測定範囲外の波長成分を遮断する。シャッタ６８は、検出部６４をリセットするときなどに、検出部６４に入射する光を遮断するために使用される。シャッタ６８は、代表的に電磁力によって駆動する機械式のシャッタからなる。
【００４６】
回折格子６２は、入射する測定反射光を分光した上で、各分光波を検出部６４へ導く。具体的には、回折格子６２は、反射型の回折格子であり、所定の波長間隔毎の回折波が対応する各方向に反射するように構成される。このような構成を有する回折格子６２に測定反射波が入射すると、含まれる各波長成分は対応する方向に反射されて、検出部６４の所定の検出領域に入射する。回折格子６２は、代表的にフラットフォーカス型球面グレーティングからなる。
【００４７】
検出部６４は、測定反射光のスペクトルを測定するために、回折格子６２で分光された測定反射光に含まれる各波長成分の光強度に応じた電気信号を出力する。検出部６４は、代表的にフォトダイオードなどの検出素子をアレイ状に配置したフォトダイオードアレイや、マトリックス状に配置されたＣＣＤ（Charged Coupled Device）などからなる。
【００４８】
なお、回折格子６２および検出部６４は、光学特性の測定波長範囲および測定波長間隔などに応じて適宜設計される。
【００４９】
データ処理部７０は、検出部６４からの測定結果（電気信号）に基づいて各種のデータ処理（代表的には、フィッティング処理やノイズ除去処理）を行ない、被測定物の反射率や屈折率、消衰係数、膜厚などの光学特性（光学定数）を制御装置２や図示しない他の装置へ出力する。
【００５０】
一方、ピンホールミラー３２で反射された観測反射光は光軸ＡＸ３に沿って伝播し、軸変換ミラー３４へ入射する。軸変換ミラー３４は、観測反射光の伝播方向を光軸ＡＸ３から光軸ＡＸ４に変換する。すると、観測反射光は、光軸ＡＸ４に沿って伝播し、観察用カメラ３８へ入射する。
【００５１】
観察用カメラ３８は、観察反射光を受光して、受光した観察反射光に応じた映像信号を出力する撮像部であり、代表的にはＣＣＤ（Charged Coupled Device）やＣＭＯＳ（Complementary Metal Oxide Semiconductor）センサなどからなる。なお、観察用カメラ３８の感度波長は、観察光に含まれる波長をカバーするように設定され、代表的に可視帯域に感度をもつものが一般的である。そして、観察用カメラ３８は、受光した観察反射光に応じた映像信号を表示部３９および制御装置２へ出力する。表示部３９は、観察用カメラ３８からの映像信号に基づいて観察反射光の像を画面上に表示する。ユーザは、この表示部３９に表示される像を目視して測定位置の確認などを行なうこともできる。表示部３９は、代表的に液晶ディスプレイ（ＬＣＤ）などからなる。
【００５２】
制御装置２は、観察用カメラ３８からの映像信号に基づいて、観察反射光に含まれるレチクル像に対応する反射像に基づいて被測定物における測定光のフォーカス状態を判断し、そのフォーカス状態の判断結果に応じて可動機構５２を駆動する。上述したように、測定光および観察光は、いずれも対物レンズ４０を介して被測定物に入射する。そのため、測定用光源１０から対物レンズ４０までの光学経路と、観察用光源２２から対物レンズ４０までの光学経路とを光学的に等価に設計することで、被測定物に対する観察光のフォーカス状態と、被測定物に対する測定光のフォーカス状態とを実質的に同一とみなすことができる。言い換えれば、観察光が被測定物において合焦状態にあれば、測定光についても被測定物において合焦状態とみなすことができる。そこで、本実施の形態に従う光学特性測定装置１００Ａでは、観察光が被測定物で反射して生じる観察反射光による反射像のフォーカス状態に基づいて、被測定物における測定光のフォーカス状態を判断する。
【００５３】
より具体的には、制御装置２は、観察用カメラ３８からの映像信号に基づいて、被測定物における測定光のフォーカス状態を示す値（以下、「フォーカス値」とも称す）を算出し、このフォーカス値が最大となるように、被測定物と対物レンズ４０との間の位置関係を制御する。このフォーカス値の算出方法や位置関係の制御方法などについては後述する。
【００５４】
また、制御装置２は、フォーカス値が最大となる場合における被測定物（ステージ５０）のＺ方向の位置に相当するフォーカス位置ＭｚをＸＹ平面上の複数の座標について取得し、取得した複数のフォーカス位置Ｍｚに基づいて、被測定物の空間的な変曲点を探索する。本明細書において「空間的な変曲点」とは、被測定物が凸形状や凹形状などの表面形状を有する場合に、その頂点や底点などの空間的な変化方向が変わる点を意味する。より具体的には、被測定物が凸形状のレンズなどである場合において、制御装置２は当該レンズの頂点を「空間的な変曲点」として探索する。この空間的な変曲点の探索にかかる処理についても後述する。
【００５５】
制御装置２は、代表的に、ＣＰＵ（Central Processing Unit）と、ＲＡＭ（Random Access Memory）と、ハードディスク装置とを含むコンピュータ（いずれも図示しない）で構成され、ハードディスク装置に予め格納されたプログラムがＲＡＭに読み出された上で、ＣＰＵが当該プログラムを実行することで、本発明に係る処理が実現される。なお、本発明に係る処理の一部または全部をハードウェアによって実現してもよい。
【００５６】
上述した図１と本願発明との対応関係については、測定用光源１０が「測定用光源」に相当し、観察用光源２２が「観察用光源」に相当し、対物レンズ４０が「集光光学系」に相当し、ビームスプリッタ２０が「光注入部」に相当し、マスク部２６ａが「マスク部」に相当し、ピンホールミラー３２が「光分離部」に相当し、観察用カメラ３８が「出力部」に相当し、可動機構５２が「調整機構」に相当し、観察用カメラ３８が「撮像部」に相当する。
【００５７】
（観察基準像）
図２は、被測定物に観察基準像を投射する構成をより詳細に説明するための図である。
【００５８】
図２を参照して、観察用光源２２（図１）が発生する観察光は、光ファイバ２４を介して出射部２６へ導かれる。この観察用光源２２が発生する観察光のビーム断面の光強度（光量）は、Ａ−Ａ断面として図示するように略均一である。そして、出射部２６に含まれるマスク部２６ａが観察光の一部をマスクすることで、そのビーム断面においてレチクル像に相当する領域の光強度が略ゼロにされる。すなわち、出射部２６を通過後の観察光のビーム断面の光強度は、Ｂ−Ｂ断面として図示するようにレチクル像に相当する影領域が形成されている。そして、このレチクル像に相当する影領域が形成された観察光は、ビームスプリッタ２０で反射されて、光軸ＡＸ１に沿って被測定物ＯＢＪへ向けて進行する。
【００５９】
一方、測定用光源１０（図１）が発生する測定光は、ビームスプリッタ３０で反射されて、光軸ＡＸ１に沿って被測定物ＯＢＪへ向けて進行する。ここで、測定光のビーム断面の光強度（光量）は、Ｃ−Ｃ断面として図示するように略均一である。
【００６０】
このようにして、被測定物ＯＢＪには測定光および観察光が照射される。
図３は、観察用カメラ３８で撮影される被測定物ＯＢＪからの観察像の一例を示す図である。
【００６１】
図３を参照して、観察用カメラ３８では、被測定物ＯＢＪに投射される観察光のビーム径に応じた観察視野８０を得ることができる。この観察視野８０内には、被測定物ＯＢＪからの反射像が含まれるとともに、被測定物ＯＢＪに投射されるレチクル像に対応する反射像８６が含まれる。なお、観察視野８０の中心部には、ピンホールミラー３２に設けられるピンホール３２ａ（図１）による影部８２が存在している。すなわち、影部８２は測定光が被測定物ＯＢＪで反射されて生じる測定反射光が分離されたことによるものである。
【００６２】
本実施の形態に従う光学特性測定装置１００Ａは、図３に示すレチクル像に対応する反射像８６の濃淡差（コントラスト差）に基づいて、被測定物ＯＢＪに対する測定光のフォーカス状態を判断する。
【００６３】
なお、観察光は可視帯域の波長を含むように設定されることが多いが、被測定物の可視帯域の波長についての反射率が極めて小さい場合（たとえば、可視反射防止膜など）には、観察光が近赤外や紫外線域の波長を含むように設定してもよい。この場合には、観察用カメラ３８の受光感度についても、観察光の波長に対応するように選択される。
【００６４】
（測定光および観察光のビーム径）
被測定物が凸形状のレンズなどである場合には、球面状の表面に測定光が入射するため、測定光のビーム径（照射スポット径）が被測定物の曲率半径などに比較して大きい場合には、測定光が被測定物の表面で分散して入射経路とは別の経路に反射される割合が大きくなる。すなわち、測定光のうち被測定物で正反射する光量が低下するので、反射率や膜厚などの光学特性を正確に測定することができない。
【００６５】
そのため、光学特性の測定精度をより向上させる観点からは、被測定物に入射する測定光のビーム径は相対的に小さいことが好ましい。一例として、被測定物に入射する測定光のビーム径と被測定物の大きさとの関係としては、直径が３〜７ｍｍのレンズを被測定物とする場合には、測定光のビーム径は０．０１ｍｍ程度とすることが好ましい。
【００６６】
また、測定光の伝播に際してその光学経路上にあるレンズの表面で僅かながら反射が生じたり、測定反射光がピンホール３２ａからずれた位置での結像が生じたりする。このような分光測定部６０に好ましくない（入射してほしくない）光は内部反射光とも称され、測定誤差の要因となり得るが、伝播中の測定光のビーム径を小さくすることで、ピンホール３２ａに入射するこのような内部反射光を低減することができる。すなわち、測定光のビーム径を１／８にすると、単純計算で内部反射光は約１／６４に低減できる。さらに、反射ムラや乱反射の影響も抑制できるので、実際には内部反射光をより低減することが可能となる。
【００６７】
これに対して、被測定物に対するフォーカス合わせをより容易に行なう観点からは、被測定物に入射する観察光のビーム径は相対的に大きいことが好ましい。これは、可能な限り大きな観察視野を確保するためである。
【００６８】
そこで、本実施の形態に従う光学特性測定装置１００Ａでは、図２に示すように、ビームスプリッタ２０における測定光のビーム径が、ビームスプリッタ２０における観察光のビーム径に比較して小さくなるように設計される。
【００６９】
（制御装置における処理）
図４は、この発明の実施の形態１に従う制御装置２の機能構成を示すブロック図である。
【００７０】
図４を参照して、制御装置２はその機能として、フォーカス状態判断部２Ａと、位置制御部２Ｂとを含む。
【００７１】
フォーカス状態判断部２Ａは、観察光が被測定物で反射して生じる観察反射光に含まれるレチクル像に対応する反射像に基づいて、被測定物における測定光のフォーカス状態を判断する。より具体的には、観察用カメラ３８からの観察反射光に応じた映像信号に基づいてフォーカス値（以下、ＦＶ（Focus Value）とも記載する）を算出し、位置制御部２Ｂへ出力する。なお、フォーカス状態判断部２Ａは、観察用カメラ３８からの映像信号のうち、予め設定された領域に相当する信号成分に基づいてフォーカス値を算出することもできる。
【００７２】
一方、位置制御部２Ｂは、フォーカス状態判断部２Ａからのフォーカス値に応じてステージ位置指令を出力することで可動機構５２を駆動し、対物レンズ４０（図１，図２）と被測定物との間の位置関係を調整する。具体的には、位置制御部２Ｂは、フォーカス値が最大となるように、光軸ＡＸ１に沿って対物レンズ４０と被測定物との間の距離を調整する。
【００７３】
上述した図４と本願発明との対応関係については、フォーカス状態判断部２Ａが「フォーカス状態判断部」に相当し、位置制御部２Ｂが「位置制御部」に相当する。
【００７４】
（フォーカス値算出処理）
図５は、観察用カメラ３８から出力される映像信号のデータ構造を示す図である。
【００７５】
図５を参照して、観察用カメラ３８では、観察用光源２２側から光軸ＡＸ１に沿ってステージ５０を観察した反射像が撮影される。すなわち、観察用カメラ３８からは、ステージ５０上のＸ方向およびＹ方向に対応する反射像を示す映像信号が出力される。このような映像信号は、撮影周期で更新されるフレーム２００からなる。なお、図５では、説明の便宜上、フレーム２００の行方向がステージ５０上のＸ方向に対応し、フレーム２００の列方向がステージ５０上のＹ方向に対応する例を示すが、このような対応関係は必ずしも必要ではない。
【００７６】
このフレーム２００は、行列状に配置された複数の画素の各々に対応するｎ行×ｍ列の輝度データで構成される。この各画素に対応する輝度データは、観察用カメラ３８がモノクロームであれば、代表的に濃淡値として０〜２５５のいずれかのレベルとなり、観察用カメラ３８がカラーであれば、代表的に赤（Ｒ），緑（Ｇ），青（Ｂ）のそれぞれについて０〜２５５のいずれかのレベルとなる。
【００７７】
フォーカス状態判断部２Ａは、各画素に対応する輝度データのヒストグラムを算出し、そのヒストグラムに基づいてフォーカス値を判断する。
【００７８】
図６は、輝度データから算出されるヒストグラムの一例を示す図である。
図６（ａ）は、非合焦状態におけるヒストグラムを示し、図６（ｂ）は、合焦状態におけるヒストグラムを示す。
【００７９】
図６（ａ）および図６（ｂ）に示すように、ヒストグラムは、フレーム２００を構成する画素についての輝度レベルの分布状態を示すものであり、各輝度レベルに対応付けて、当該輝度レベルを有する画素数をプロットしたものである。なお、図６（ａ）および図６（ｂ）に示すヒストグラムは一次元の輝度レベルに基づくものであるので、各画素が赤（Ｒ），緑（Ｇ），青（Ｂ）についての３次元の輝度レベルを有する場合などにおいては、赤（Ｒ），緑（Ｇ），青（Ｂ）のうち特定の色についての輝度レベルを用いたり、赤（Ｒ），緑（Ｇ），青（Ｂ）の輝度レベルを合計した値を用いたりすることができる。さらに、各画素の輝度レベルによるヒストグラムに代えて、またはそれに加えて、行方向または列方向に隣接する画素間の輝度レベルの差分値に基づくヒストグラムを算出してもよい。
【００８０】
このように算出されたヒストグラムには、フォーカス状態に応じて異なる特徴が現れる。代表的に、被測定物に対して測定光（観察光）が非合焦状態にあれば、算出されるヒストグラムは相対的に緩やかなピークが現れる（図６（ａ））。一方、被測定物に対して測定光（観察光）が合焦状態にあれば、算出されるヒストグラムは相対的に急峻なピークが現れる（図６（ｂ））。そこで、フォーカス状態判断部２Ａは、ヒストグラムに現れるこのような特徴的な変化に基づいてフォーカス値を算出する。
【００８１】
代表的に、フォーカス状態判断部２Ａは、ヒストグラムに現れるピークの広がり度合いに基づいてフォーカス値を算出する。より具体的には、フォーカス状態判断部２Ａは、輝度データのヒストグラムを算出してそのピーク値ＰＫ（ａ），ＰＫ（ｂ）を取得する。そして、フォーカス状態判断部２Ａは、取得したピーク値に所定の低減率αを乗じた値（αＰＫ（ａ），αＰＫ（ｂ））に相当するヒストグラムの幅ＳＷ（ａ），ＳＷ（ｂ）を取得する。フォーカス状態判断部２Ａは、このヒストグラムの幅ＳＷ（ａ），ＳＷ（ｂ）に応じて、フォーカス値を決定する。すなわち、ヒストグラムの幅ＳＷが小さいほど、フォーカス値は大きくなる。
【００８２】
このようなフォーカス値の算出処理において、フレーム２００に含まれるすべての画素の輝度データを用いてもよいが、被測定物の形状によっては、フレーム２００に含まれる画素のうち予め設定された領域に相当する画素の輝度データだけを用いることが好ましい場合もある。
【００８３】
図７は、凸形状の球面を有する被測定物を測定する場合に取得される観察像の概念図である。
【００８４】
図７を参照して、レンズなどの凸形状の球面を有する被測定物ＯＢＪの表面上の各点と対物レンズ４０との間の距離は、表面形状に応じて異なっている。ここで、対物レンズ４０が所定の倍率を有する拡大レンズなどからなる場合には、被写界深度は極めて小さく（たとえば、数１０μｍ程度）なる。そのため、観察用カメラ３８で撮影される観察像のうち、所定の範囲だけが合焦状態となる場合がある。
【００８５】
たとえば、被測定物ＯＢＪが球面形状であれば、フレーム２００に含まれる観察視野８０のうち、Ｚ方向の位置が所定範囲（すなわち、被写界深度）にある領域２１０についてのみ合焦状態となり得る。そのため、投射されるレチクル像２０４のうち、領域２１０に相当する範囲（図７において実線部分）については明瞭に観察できる一方で、領域２１０に相当する範囲以外（図７において破線部分）についてはぼやけた状態で観察される。
【００８６】
したがって、フレーム２００の観察視野８０に比較して、フォーカス合わせ可能な領域が小さい場合には、フレーム２００に含まれる画素のうちフォーカスを合わせたい領域に対応する画素の輝度データを用いて、フォーカス値を算出することが好ましい。すなわち、観察用カメラ３８から出力される観察反射光に応じた映像信号のうち、予め設定された領域に相当する信号成分に基づいて、フォーカス値を算出することが好ましい。なお、上述したように、観察視野８０（すなわち、観察光のビーム径）に比較して、測定光の照射スポット（すなわち、測定光のビーム径）が小さくなるように設計されるので、フォーカス値の算出には、フレーム２００に含まれる画素のうち測定光が照射される領域に対応する画素、または当該領域を包含するような領域に対応する画素を用いることがより好ましい。
【００８７】
図５を参照して、フォーカス状態判断部２Ａは、観察用カメラ３８から出力される映像信号のフレーム２００を構成する画素のうち、フォーカスを合わせるべき領域２２０に含まれる画素を抽出し、この抽出した画素の輝度データに基づいて、フォーカス値を算出する。
【００８８】
なお、フォーカス値の算出処理としては、上記の方法以外の公知の方法を用いることも可能である。
【００８９】
（フォーカス合わせ処理）
上述したように、フォーカス状態判断部２Ａで算出されるフォーカス値に応じて、位置制御部２Ｂは、対物レンズ４０と被測定物との間の距離を光軸ＡＸ１に沿って調整、すなわち被測定物における測定光（観測光）のフォーカス合わせを行なう。
【００９０】
具体的には、位置制御部２Ｂは、光軸ＡＸ１に沿って対物レンズ４０と被測定物との間の距離（Ｚ方向位置）を順次変更するとともに、各位置において算出されるフォーカス値を取得し、フォーカス値が最大となるＺ方向位置を探索する。
【００９１】
図８は、対物レンズ４０と被測定物との間の距離変化に伴うフォーカス値ＦＶの変化特定を示す図である。
【００９２】
図８を参照して、位置制御部２Ｂがステージ位置指令を可動機構５２に与えて、対物レンズ４０と被測定物との間の距離を光軸ＡＸ１に沿って変化させると、フォーカス状態判断部２Ａで算出されるフォーカス値ＦＶは、フォーカス位置Ｍｚに近付くにつれて大きくなっていく。そして、測定光（観測光）が被測定物にフォーカスが合う位置、すなわち被測定物が対物レンズ４０による測定光（観測光）の結像位置に一致した状態において、フォーカス値ＦＶは極大値をとる。
【００９３】
このような特性を利用して、位置制御部２Ｂはフォーカス値が最大となるＺ方向位置を探索することで、測定光（観測光）の焦点合わせを行なう。ここで、フォーカス位置Ｍｚは、代表的にＺ方向の基準位置からの距離を意味する。
【００９４】
なお、フォーカス値ＦＶの算出対象となるＺ方向の最小刻み幅（以下、フォーカス分解能とも称す）は比較的小さくできるので、このフォーカス分解能の単位でフォーカス位置Ｍｚを探索すると、探索範囲の大きさによっては非常に演算処理量が多くなる。そこで、フォーカス分解能より大きなＺ方向の幅（以下、フォーカス探索分解能とも称す）の単位で粗調整を行なった後、フォーカス分解能の単位で微調整を行なうことが好ましい。なお、フォーカス探索分解能は、フォーカス分解能の整数倍であることが好ましい。
【００９５】
図９は、フォーカス位置の探索に係る処理を説明するための図である。
図９を参照して、ステージ５０の可動範囲や被測定物の高さなどに応じて、Ｚ方向に沿った所定のフォーカス位置探索範囲が予め定められている場合において、まず位置制御部２Ｂは、粗調整を行なうために、フォーカス探索分解能の単位で被測定物をＺ方向に移動する。図９に示す例では、位置制御部２Ｂが被測定物（ステージ５０）をＺ方向位置Ｐｒ１〜Ｐｒ６の６か所に逐次的に移動させる。そして、位置制御部２Ｂは、Ｚ方向位置Ｐｒ１〜Ｐｒ６の各々においてフォーカス状態判断部２Ａが算出するフォーカス値ＦＶ（Ｐｒ１）〜ＦＶ（Ｐｒ６）を取得する。その後、取得されたフォーカス値ＦＶ（Ｐｒ１）〜ＦＶ（Ｐｒ６）のうち最大値となるものを抽出する。図９に示す例では、Ｚ方向位置Ｐｒ３でのフォーカス値ＦＶ（Ｐｒ３）が最大値である場合を示す。
【００９６】
このように粗調整が完了すると、位置制御部２Ｂは微調整を行なう。すなわち、位置制御部２Ｂは、最大のフォーカス値が得られたＺ方向位置Ｐｒ３を中心とするフォーカス探索分解能の範囲に対して、フォーカス分解能の単位で被測定物をＺ方向に移動する。図９に示す例では、フォーカス探索分解能がフォーカス分解能の６倍に設定されているとする。この場合において、位置制御部２Ｂは被測定物（ステージ５０）をＺ方向位置Ｐｆ１〜Ｐｆ６の６か所に逐次的に移動させる。そして、位置制御部２Ｂは、Ｚ方向位置Ｐｆ１〜Ｐｆ６の各々においてフォーカス状態判断部２Ａが算出するフォーカス値ＦＶ（Ｐｆ１）〜ＦＶ（Ｐｆ６）を取得する。その後、取得されたフォーカス値ＦＶ（Ｐｆ１）〜ＦＶ（Ｐｆ６）のうち最大値となるものを抽出する。図９に示す例では、Ｚ方向位置Ｐｆ５でのフォーカス値ＦＶ（Ｐｆ５）が最大値である場合を示す。すると、位置制御部２Ｂは、このフォーカス値が最大となるＺ方向位置Ｐｆ５がフォーカス位置Ｍｚであると判断する。
【００９７】
このように、粗調整および微調整の２段階でフォーカス位置Ｍｚを探索することで、被測定物の移動およびフォーカス値の算出という一連の作業回数を低減できる。なお、図９に示す例では、フォーカス位置探索範囲に対して微調整のみでフォーカス位置を探索した場合には３６回の処理が必要であるが、粗調整および微調整の２段階でフォーカス位置Ｍｚを探索した場合には１２回の処理で済み、単純計算でフォーカス位置Ｍｚの探索時間を１／３に低減できる。
【００９８】
なお、上述の例では、２段階でフォーカス位置を探索する構成について例示したが、探索範囲（分解能）をさらに多くの段数で切替えてフォーカス位置を探索するようにしてもよい。
【００９９】
図１０は、この発明の実施の形態１に従う光学特性測定装置１００Ａを用いたフォーカス合わせ処理の手順を示すフローチャートである。
【０１００】
図１０を参照して、まず、ユーザ操作などに応答して、観察用光源２２が観察光の発生を開始する（ステップＳ１００）。この発生した観察光が対物レンズ４０を介して被測定物に入射すると、被測定物で生じた観察反射光がピンホールミラー３２などを介して観察用カメラ３８に入射する。観察用カメラ３８は、この観察反射光を受光して、当該観察反射光に応じた映像信号を制御装置２へ出力開始する（ステップＳ１０２）。
【０１０１】
制御装置２の位置制御部２Ｂは、被測定物（ステージ５０）を予め定められたＺ方向の初期位置に移動する（ステップＳ１０４）。そして、制御装置２のフォーカス状態判断部２Ａが、観察用カメラ３８からの映像信号に基づいてフォーカス値を算出し（ステップＳ１０６）、制御装置２の位置制御部２Ｂが、算出されたフォーカス値を当該時点のＺ方向位置と対応付けて格納する（ステップＳ１０８）。
【０１０２】
その後、制御装置２の位置制御部２Ｂは、所定のフォーカス位置探索範囲の全範囲についての探索が完了したか否かを判断する（ステップＳ１１０）。フォーカス位置探索範囲の全範囲についての探索が完了していなければ（ステップＳ１１０においてＮＯ）、制御装置２の位置制御部２Ｂが被測定物（ステージ５０）をＺ方向にフォーカス探索分解能だけ移動し（ステップＳ１１２）、ステップＳ１０６以降の処理が再度実行される。
【０１０３】
フォーカス位置探索範囲の全範囲についての探索が完了していれば（ステップＳ１１０においてＹＥＳ）、制御装置２の位置制御部２Ｂは、上述のステップＳ１０８において格納されたフォーカス値のうちから最大値を抽出し、当該最大値に対応するＺ方向位置を決定する（ステップＳ１１４）。以上のステップＳ１０４〜Ｓ１１４までの処理が粗調整に相当する。
【０１０４】
次に、制御装置２の位置制御部２Ｂは、ステップＳ１１４において決定したＺ方向位置を中心とするフォーカス探索分解能の範囲を詳細探索範囲に決定する（ステップＳ１１６）。そして、制御装置２の位置制御部２Ｂは、被測定物（ステージ５０）をステップＳ１１６において決定した詳細探索範囲内の初期位置に移動する（ステップＳ１１８）。そして、制御装置２のフォーカス状態判断部２Ａが、観察用カメラ３８からの映像信号に基づいてフォーカス値を算出し（ステップＳ１２０）、制御装置２の位置制御部２Ｂが、算出されたフォーカス値を当該時点のＺ方向位置と対応付けて格納する（ステップＳ１２２）。
【０１０５】
その後、制御装置２の位置制御部２Ｂは、詳細探索範囲の全範囲についての探索が完了したか否かを判断する（ステップＳ１２４）。詳細探索範囲の全範囲についての探索が完了していなければ（ステップＳ１２４においてＮＯ）、制御装置２の位置制御部２Ｂが被測定物（ステージ５０）をＺ方向にフォーカス分解能だけ移動し（ステップＳ１２６）、ステップＳ１２０以降の処理が再度実行される。
【０１０６】
詳細探索範囲の全範囲についての探索が完了していれば（ステップＳ１２４においてＹＥＳ）、制御装置２の位置制御部２Ｂは、上述のステップＳ１２２において格納されたフォーカス値のうちから最大値を抽出し、当該最大値に対応するＺ方向位置をフォーカス位置に決定し（ステップＳ１２８）、フォーカス合わせ処理を終了する。以上のステップＳ１１６〜Ｓ１２８までの処理が微調整に相当する。
【０１０７】
以上のような処理手順によって、フォーカス位置が決定される。
（空間的変曲点の探索処理）
制御装置２の位置制御部２Ｂは、上述したフォーカス合わせ処理に加えて、被測定物の空間的な変曲点を探索する処理を行なうようにしてもよい。たとえば、被測定物がレンズなどの凸形状の半球面体である場合などには、頂点以外の斜面（側面）に測定光を照射すると乱反射などにより測定誤差が増加するため、頂点付近に測定光を照射することが好ましい。しかしながら、ユーザの目視による頂点探索は手間と時間を要するため、自動化することが好ましい。そこで、本実施の形態に従う光学特性測定装置１００Ａでは、以下に述べる（１）〜（３）などの方法を用いて、被測定物の空間的変曲点を探索する。
【０１０８】
（１）座標法
座標法は、凸形状や凹形状といった空間的な変曲点を１つだけ有する被測定物（代表的に、レンズなど）を対象とする方法である。
【０１０９】
図１１は、座標法による空間的な変曲点の探索処理を説明するための図である。
図１１を参照して、位置制御部２Ｂが凸形状の被測定物ＯＢＪの頂点を探索する場合の処理について説明する。まず、位置制御部２Ｂは、ステージ５０上のＸ方向に沿った複数の座標の各々において上述のフォーカス合わせ処理を実行し、各座標におけるフォーカス位置Ｍｚを取得する。Ｘ方向におけるフォーカス位置Ｍｚの取得処理が終了すると、位置制御部２Ｂは、ステージ５０上のＹ方向に沿った複数の座標の各々において上述のフォーカス合わせ処理を実行し、各座標におけるフォーカス位置Ｍｚを取得する。
【０１１０】
その後、位置制御部２Ｂは、Ｘ方向においてフォーカス位置Ｍｚが最大値となる座標と、Ｙ方向においてフォーカス位置Ｍｚが最大値となる座標とを抽出する。そして、位置制御部２Ｂは、抽出したＸ方向における座標と、Ｙ方向における座標との交点を被測定物ＯＢＪの頂点（すなわち、空間的な変曲点）であると決定する。
【０１１１】
同様にして、凹形状の被測定物ＯＢＪの底点を探索する場合には、Ｘ方向およびＹ方向のそれぞれに沿った複数の座標の各々においてフォーカス合わせ処理を行なった後、位置制御部２Ｂは、Ｘ方向においてフォーカス位置Ｍｚが最小値となる座標と、Ｙ方向においてフォーカス位置Ｍｚが最小値となる座標とを抽出する。そして、位置制御部２Ｂは、抽出したＸ方向における座標と、Ｙ方向における座標との交点を被測定物ＯＢＪの底点（すなわち、空間的な変曲点）であると決定する。
【０１１２】
なお、このように空間的な変曲点が探索された後、位置制御部２Ｂは、当該変曲点における光学特性を測定するために、空間的な変曲点に測定光および観察光が照射されるように被測定物ＯＢＪをＸＹ平面上に沿って移動させた後、フォーカス合わせ処理をさらに実行する。
【０１１３】
座標法によれば、被測定物が凸形状や凹形状を有していなければならないが、探索回数（フォーカス位置の取得処理の回数）が少なくても空間的な変曲点を確実に探索できる。
【０１１４】
図１２は、座標法による空間的な変曲点の探索処理の手順を示すフローチャートである。
【０１１５】
図１２を参照して、まず、ユーザ操作などに応答して、観察用光源２２が観察光の発生を開始する（ステップＳ２００）。この発生した観察光が対物レンズ４０を介して被測定物に入射すると、被測定物で生じた観察反射光がピンホールミラー３２などを介して観察用カメラ３８に入射する。観察用カメラ３８は、この観察反射光を受光して、当該観察反射光に応じた映像信号を制御装置２へ出力開始する（ステップＳ２０２）。
【０１１６】
制御装置２の位置制御部２Ｂは、空間的な変曲点の探索範囲を受付け（ステップＳ２０４）、Ｘ方向およびＹ方向のそれぞれについてフォーカス合わせ処理を行なう座標群を決定する（ステップＳ２０６）。そして、制御装置２の位置制御部２Ｂは、Ｘ方向およびＹ方向の各座標において順次フォーカス合わせを行なう。
【０１１７】
制御装置２の位置制御部２Ｂは、Ｘ方向に沿った座標のうち最初の座標に観測光が照射されるように被測定物（ステージ５０）を移動し（ステップＳ２０８）、フォーカス合わせ処理を行なってフォーカス位置Ｍｚを取得する（ステップＳ２１０）。そして、制御装置２の位置制御部２Ｂは、取得されたフォーカス値を当該座標と対応付けて格納する（ステップＳ２１２）。
【０１１８】
続いて、制御装置２の位置制御部２Ｂは、被測定物（ステージ５０）がＸ方向に沿った座標のうち最後の座標に到達しているか否かを判断する（ステップＳ２１４）。被測定物（ステージ５０）が最後の座標に到達していなければ（ステップＳ２１４においてＮＯ）、制御装置２の位置制御部２Ｂは、Ｘ方向の次の座標に観測光が照射されるように被測定物（ステージ５０）を移動し（ステップＳ２１６）、ステップＳ２１０以降の処理が再度実行される。
【０１１９】
被測定物（ステージ５０）が最後の座標に到達していれば（ステップＳ２１４においてＹＥＳ）、制御装置２の位置制御部２Ｂは、Ｙ方向に沿った座標のうち最初の座標に観測光が照射されるように被測定物（ステージ５０）を移動し（ステップＳ２１８）、フォーカス合わせ処理を行なってフォーカス位置Ｍｚを取得する（ステップＳ２２０）。そして、制御装置２の位置制御部２Ｂは、取得されたフォーカス値を当該座標と対応付けて格納する（ステップＳ２２２）。なお、このときのＸ方向の座標は任意に設定することが可能であるが、基準のＸ方向の座標（たとえば、Ｘ方向に沿った座標のうち最初の座標）などに予め移動しておくことが好ましい。
【０１２０】
その後、制御装置２の位置制御部２Ｂは、被測定物（ステージ５０）がＹ方向に沿った座標のうち最後の座標に到達しているか否かを判断する（ステップＳ２２４）。被測定物（ステージ５０）が最後の座標に到達していなければ（ステップＳ２２４においてＮＯ）、制御装置２の位置制御部２Ｂは、Ｙ方向の次の座標に観測光が照射されるように被測定物（ステージ５０）を移動し（ステップＳ２２６）、ステップＳ２２０以降の処理が再度実行される。
【０１２１】
被測定物（ステージ５０）が最後の座標に到達していれば（ステップＳ２２４においてＹＥＳ）、位置制御部２Ｂは、Ｘ方向においてフォーカス位置Ｍｚが最大値（または最小値）となる座標と、Ｙ方向においてフォーカス位置Ｍｚが最大値（または最小値）となる座標とを抽出する（ステップＳ２２８）。そして、位置制御部２Ｂは、ステップＳ２２８において抽出したＸ方向の座標とＹ方向の座標との交点を被測定物ＯＢＪの空間的な変曲点であると決定する（ステップＳ２３０）。
【０１２２】
さらに、位置制御部２Ｂは、ステップＳ２３０において決定した空間的な変曲点に測定光および観察光が照射されるようにＸＹ平面に沿って被測定物を移動させ（ステップＳ２３２）、さらにフォーカス合わせ処理を行なう（ステップＳ２３４）。
【０１２３】
以上のような処理手順によって、被測定物の空間的な変曲点が探索される。
（２）マトリックス法
マトリックス法は、変曲点を含む探索対象領域を予め設定し、当該探索対象領域内で所定間隔毎にフォーカス位置Ｍｚを取得した後に、フォーカス位置Ｍｚについての近似関数を算出した上で、空間的な変曲点を決定する方法である。
【０１２４】
図１３は、マトリックス法による空間的な変曲点の探索処理を説明するための図である。
【０１２５】
図１３を参照して、まず、位置制御部２Ｂは、ステージ５０上のＸＹ平面における探索範囲３０２を設定する。この探索範囲３０２はユーザが予め設定しておいてもよい。そして、位置制御部２Ｂは、探索範囲３０２内に所定間隔で複数の探索点３０４を設定する。すなわち、位置制御部２Ｂは、探索範囲３０２をメッシュ化し、各メッシュ点を探索点３０４に設定する。なお、図１３には、ｍ行×ｍ列（（１，１）〜（ｍ，ｎ））の探索点３０４が設定されている場合を示す。
【０１２６】
そして、位置制御部２Ｂは、探索点３０４の各々において上述のフォーカス合わせ処理を順次実行し、各探索点３０４におけるフォーカス位置Ｍｚを取得する。その後、位置制御部２Ｂは、各探索点３０４におけるフォーカス位置Ｍｚに基づいて、２次元スプライン法などを用いて近似関数を算出する。すなわち、座標（ｘ，ｙ）におけるフォーカス位置をＭｚ（ｘ，ｙ）とすると、位置制御部２Ｂは、Ｍｚ（１，１）〜Ｍｚ（ｍ，ｎ）に対する残差が最小となるように近似関数Ｆａ（Ｍｚ：ｘ，ｙ）を算出し、この近似関数Ｆａ（Ｍｚ：ｘ，ｙ）の変数ｘおよび変数ｙについての変曲点に対応する座標を被測定物ＯＢＪの空間的な変曲点として決定する。
【０１２７】
上述したように、このように空間的な変曲点が探索された後、位置制御部２Ｂは、当該変曲点における光学特性を測定するために、空間的な変曲点に測定光および観察光が照射されるように被測定物ＯＢＪをＸＹ平面上に沿って移動させた後、フォーカス合わせ処理をさらに実行する。
【０１２８】
マトリックス法によれば、比較的探索点が多くなるので時間を要するが、被測定物ＯＢＪに含まれる空間的な変曲点の数には制限がない。すなわち、被測定物ＯＢＪに複数の空間的な変曲点が含まれている場合であっても探索が可能である。
【０１２９】
図１４は、マトリックス法による空間的な変曲点の探索処理の手順を示すフローチャートである。
【０１３０】
図１４を参照して、まず、ユーザ操作などに応答して、観察用光源２２が観察光の発生を開始する（ステップＳ３００）。この発生した観察光が対物レンズ４０を介して被測定物に入射すると、被測定物で生じた観察反射光がピンホールミラー３２などを介して観察用カメラ３８に入射する。観察用カメラ３８は、この観察反射光を受光して、当該観察反射光に応じた映像信号を制御装置２へ出力開始する（ステップＳ３０２）。
【０１３１】
制御装置２の位置制御部２Ｂは、ＸＹ平面に対して探索範囲を受付け（ステップＳ３０４）、探索範囲に対して複数の探索点を設定する（ステップＳ３０６）。そして、制御装置２の位置制御部２Ｂは、以下のように各探索点におけるフォーカス位置を順次取得する。
【０１３２】
制御装置２の位置制御部２Ｂは、最初の探索点に観測光が照射されるように被測定物（ステージ５０）を移動し（ステップＳ３０８）、フォーカス合わせ処理を行なってフォーカス位置Ｍｚを取得する（ステップＳ３１０）。そして、制御装置２の位置制御部２Ｂは、取得されたフォーカス値を当該探索点の座標と対応付けて格納する（ステップＳ３１２）。
【０１３３】
その後、制御装置２の位置制御部２Ｂは、被測定物（ステージ５０）の現在座標が最後の探索点の座標であるか否かを判断する（ステップＳ３１４）。被測定物（ステージ５０）の現在座標が最後の探索点の座標でなければ（ステップＳ３１４においてＮＯ）、制御装置２の位置制御部２Ｂは、次の探索点に観測光が照射されるように被測定物（ステージ５０）を移動し（ステップＳ３１６）、ステップＳ３１０以降の処理が再度実行される。
【０１３４】
被測定物（ステージ５０）の現在座標が最後の探索点の座標であれば（ステップＳ３１４においてＹＥＳ）、制御装置２の位置制御部２Ｂは、取得した複数のフォーカス値と対応する探索点の座標に基づいて近似関数を算出する（ステップＳ３１８）。そして、制御装置２の位置制御部２Ｂは、算出した近似関数における変曲点を算出し（ステップＳ３２０）、算出した変曲点に対応するＸＹ平面上の座標を被測定物ＯＢＪの空間的な変曲点として決定する（ステップＳ３２２）。
【０１３５】
さらに、制御装置２の位置制御部２Ｂは、ステップＳ３２２において決定した空間的な変曲点に測定光および観察光が照射されるようにＸＹ平面に沿って被測定物を移動させ（ステップＳ３２４）、さらにフォーカス合わせ処理を行なう（ステップＳ３２６）。
【０１３６】
以上のような処理手順によって、被測定物の空間的な変曲点が探索される。
（３）数学的探索法
数学的探索法は、探索対象領域内の予め設定された初期座標におけるフォーカス位置Ｍｚを取得し、当該初期座標から数学的なアルゴリズムに従って変曲点を反復的に探索する方法である。この方法は、原則的に探索対象領域内に１つの変曲点が存在する場合に適用されるが、比較的探索点の数が少なくて済むため、空間的な変曲点をより高速に探索できる。
【０１３７】
このような数学的探索法では、算出されるフォーカス位置などに基づいて探索ベクトルが算出され、この探索ベクトルに従って順次探索点が決定される。このような探索ベクトルの算出方法としては、さまざまなアルゴリズムが提案されているが、代表的に以下の３つのアルゴリズムを用いることができる。
【０１３８】
（ｉ）滑降シンプレックス法（Downhill Simplex Method）
（ｉｉ）Ｐｏｗｅｌｌ法（Powell’s Method）
（ｉｉｉ）共役勾配法（Conjugate Gradient Method）
これらのアルゴリズムの詳細については「NUMERICAL RECIPES IN C: THE ART OF SCIENTIFIC COMPUTING, Cambridge University Press. 1988-1992, pp408-425」などを参照されたい。
【０１３９】
この発明の実施の形態１によれば、観察光が観察基準像に対応するようにマスクされて被測定物に照射されることで、被測定物には観察基準像が投射される。この観察光は、被測定物で反射して観察反射光を生じ、この観察反射光には観察基準像に対応する反射像が含まれる。この観察基準像に対応する反射像には観察基準像によって濃淡差（コントラスト差）が生じるので、被測定物の反射率にかかわらず、被測定物における観察光のフォーカス状態を正確に判断することができる。
【０１４０】
一方、測定光および観察光は、共通の集光光学系を介して被測定物に照射されるので、被測定物における観察光のフォーカス状態と、被測定物における測定光のフォーカス状態とを実質的に同一とみなすことができる。
【０１４１】
したがって、反射率が相対的に低い被測定物であっても、観察基準像に対応する反射像を含む観察反射光に基づいて、容易にフォーカス合わせを行なうことができる。
【０１４２】
また、この発明の実施の形態１によれば、被測定物の複数の点において、フォーカス値が最大となるフォーカス位置を取得し、この取得したフォーカス位置に基づいて被測定物の空間的な変曲点を探索する。したがって、レンズなどの凸形状をもつ被測定物の頂点などに対して測定光を確実に照射できる。これにより、球面形状の被測定物の光学特性をより正確に測定することができる。
【０１４３】
［実施の形態２］
上述のこの発明の実施の形態１に従う光学特性測定装置では、反射光（測定反射光および観察反射光）の伝播経路上にビームスプリッタ２０を配置して観察光を注入する構成について説明したが、観察光を注入する位置は、測定用光源１０から集光光学系である対物レンズ４０までの光学経路上であればいずれであってもよい。そこで、この発明の実施の形態３では、測定用光源１０からビームスプリッタ３０までの光学経路上で観察光を注入する構成について説明する。
【０１４４】
図１５は、この発明の実施の形態２に従う光学特性測定装置１００Ｂの概略構成図である。
【０１４５】
図１５を参照して、この発明の実施の形態２に従う光学特性測定装置１００Ｂは、図１に示す光学特性測定装置１００Ａにおいて、測定用光源１０からビームスプリッタ３０までの光学経路上にビームスプリッタ２０の位置を変更し、この位置変更に伴って観察用光源２２と、光ファイバ２４と、出射部２６との位置についても変更したものである。各部の機能および構成は、図１に示す光学特性測定装置１００Ａと同様であるので、詳細な説明は繰返さない。
【０１４６】
本実施の形態に従う光学特性測定装置１００Ｂによれば、被測定物からの反射光（測定反射光および観察反射光）が１つのビームスプリッタ３０だけを通過する。ビームスプリッタ３０は代表的にハーフミラーで構成される。ハーフミラーの理論的な透過率はその名の通り５０％であるため、ハーフミラーを通過する前後でその光強度は半減（５０％）してしまう。そのため、反射光が通過するビームスプリッタの数を低減することで、分光測定部６０に入射する反射光の減衰量を抑制することができる。したがって、分光測定部６０で検出されるスペクトルのＳＮ（Signal to Noise）比をより高い状態に維持できる。
【０１４７】
この発明の実施の形態２によれば、上述の実施の形態１によって得られる効果に加えて、より測定精度を向上することができる。
【０１４８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１４９】
【図１】この発明の実施の形態１に従う光学特性測定装置の概略構成図である。
【図２】被測定物に観察基準像を投射する構成をより詳細に説明するための図である。
【図３】観察用カメラで撮影される被測定物からの観察像の一例を示す図である。
【図４】この発明の実施の形態１に従う制御装置の機能構成を示すブロック図である。
【図５】観察用カメラから出力される映像信号のデータ構造を示す図である。
【図６】輝度データから算出されるヒストグラムの一例を示す図である。
【図７】凸形状の球面を有する被測定物を測定する場合に取得される観察像の概念図である。
【図８】対物レンズと被測定物との間の距離変化に伴うフォーカス値の変化特定を示す図である。
【図９】フォーカス位置の探索に係る処理を説明するための図である。
【図１０】この発明の実施の形態１に従う光学特性測定装置を用いたフォーカス合わせ処理の手順を示すフローチャートである。
【図１１】座標法による空間的な変曲点の探索処理を説明するための図である。
【図１２】座標法による空間的な変曲点の探索処理の手順を示すフローチャートである。
【図１３】マトリックス法による空間的な変曲点の探索処理を説明するための図である。
【図１４】マトリックス法による空間的な変曲点の探索処理の手順を示すフローチャートである。
【図１５】この発明の実施の形態２に従う光学特性測定装置の概略構成図である。
【符号の説明】
【０１５０】
２  制御装置、２Ａ  フォーカス状態判断部、２Ｂ  位置制御部、１０  測定用光源、１２  コリメートレンズ、１４  カットフィルタ、１６，３６  結像レンズ、１８  絞り部、２０，３０  ビームスプリッタ、２２  観察用光源、２４  光ファイバ、２６  出射部、２６ａ  マスク部、３２  ピンホールミラー、３２ａ  ピンホール、３４  軸変換ミラー、３８  観察用カメラ、３９  表示部、４０  対物レンズ、５０  ステージ、５２  可動機構、６０  分光測定部、６２  回折格子、６４  検出部、６６  カットフィルタ、６８  シャッタ、７０  データ処理部、８０  観察視野、８２  影部、８６  反射像、１００Ａ，１００Ｂ  光学特性測定装置、２００  フレーム、２０４  観察基準像（レチクル像）、３０２  探索範囲、３０４  探索点、ＡＸ１〜ＡＸ４  光軸、ＯＢＪ  被測定物。
【図１】
2008286584.tif 000003
【図２】
2008286584.tif 000004
【図４】
2008286584.tif 000005
【図５】
2008286584.tif 000006
【図６】
2008286584.tif 000007
【図７】
2008286584.tif 000008
【図８】
2008286584.tif 000009
【図９】
2008286584.tif 000010
【図１０】
2008286584.tif 000011
【図１１】
2008286584.tif 000012
【図１２】
2008286584.tif 000013
【図１３】
2008286584.tif 000014
【図１４】
2008286584.tif 000015
【図１５】
2008286584.tif 000016
【図３】
2008286584.tif 000017